【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、前記アクセスポイントがワイヤレス通信におけるプローブ応答のサイズを削減するための方法であって、
前記アクセスポイントにおいて、ワイヤレスデバイスからプローブ要求を受信することであって、前記プローブ要求は、前記ワイヤレスデバイスに関する状態情報を備える、受信することと、
前記プローブ要求に基づいて、条件付きで近隣報告情報を含み、前記状態情報がプローブ要求によって示された時間期間は前記アクセスポイントによって記憶されることを示すように前記プローブ応答を生成することと、
前記アクセスポイントにおいて、前記プローブ応答を前記ワイヤレスデバイスに送信することと、
前記アクセスポイントにおいて、近隣報告情報を除いたビーコンを送信することとを備える方法。
【請求項２】
共有状態情報は、前記ワイヤレスデバイスの共有レート、拡張サポートレート、サポートされる動作クラス、高スループット能力、２０／４０基本サービスセット共存、および拡張能力のうちの１つまたは複数を含む、請求項１に記載の方法。
【請求項３】
近隣報告情報が要求されるかどうか決定するために、前記プローブ要求を復号し、前記決定に基づいて前記プローブ応答を生成することをさらに備える、請求項１に記載の方法。
【請求項４】
近隣報告情報要求情報要素が前記プローブ要求中に含まれるかどうか識別するために、前記プローブ要求を復号し、前記近隣報告情報要求情報要素が前記プローブ要求中に含まれる場合、前記近隣報告情報を含むように前記プローブ応答を生成することをさらに備える、請求項３に記載の方法。
【請求項５】
近隣報告情報要求情報要素が前記プローブ要求中に含まれるかどうか識別するために、前記プローブ要求を復号し、前記近隣報告情報要求情報要素が前記プローブ要求中に含まれない場合、前記近隣報告情報を含まないように前記プローブ応答を生成することをさらに備える、請求項３に記載の方法。
【請求項６】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、削減されたサイズのプローブ応答のためのワイヤレスデバイスであって、アクセスポイントは、
ワイヤレスデバイスからプローブ要求を受信するように構成された受信機であって、前記プローブ要求は、前記ワイヤレスデバイスに関する状態情報を備える、受信機と、
前記プローブ要求に基づいて、条件付きで近隣報告情報を含み、前記状態情報が前記プローブ要求によって示された時間期間は前記アクセスポイントによって記憶されることを示すようにプローブ応答を生成するように構成されたプロセッサと、
前記プローブ応答を前記ワイヤレスデバイスに送信し、近隣報告情報を除いたビーコンを送信するように構成された送信機とを備えるワイヤレスデバイス。
【請求項７】
前記プロセッサは、近隣報告情報が要求されるかどうか決定するために、前記プローブ要求を復号し、前記決定に基づいて、前記プローブ応答を生成するようにさらに構成される、請求項６に記載の装置。
【請求項８】
前記プロセッサは、近隣報告情報要求情報要素が前記プローブ要求中に含まれるかどうか識別するために、前記プローブ要求を復号し、前記近隣報告情報要求情報要素が前記プローブ要求中に含まれる場合、前記近隣報告情報を含むように前記プローブ応答を生成するようにさらに構成される、請求項７に記載の装置。
【請求項９】
前記プロセッサは、近隣報告情報要求情報要素が前記プローブ要求中に含まれるかどうか識別するために、前記プローブ要求を復号し、前記近隣報告情報要求情報要素が前記プローブ要求から除かれる場合、前記近隣報告情報を含まないように前記プローブ応答を生成するようにさらに構成される、請求項７に記載の装置。
【請求項１０】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、ワイヤレスデバイスがプローブ応答のサイズを削減するための方法であって、
前記ワイヤレスデバイスにおいて、近傍報告情報が記憶されるかどうか決定することと、
前記ワイヤレスデバイスにおいて、前記決定することに基づいて、近隣報告情報についての要求を条件付きで含むプローブ要求を送信することであって、前記プローブ要求が前記ワイヤレスデバイスに関する状態情報をさらに備える、送信することと、
前記ワイヤレスデバイスにおいて、プローブ応答を受信することと、
前記ワイヤレスデバイスにおいて、近隣報告情報が前記プローブ応答中に含まれるかどうか決定するために、前記プローブ応答を復号することと、
前記ワイヤレスデバイスにおいて、前記情報が前記プローブ応答中に含まれるという決定に応答して、前記近隣報告情報を記憶することと、
前記状態情報が記憶される時間期間を決定するために前記プローブ応答を復号することと、
前記決定された時間期間に応答して、前記状態情報を除いた関連付け要求を送信することと、
前記ワイヤレスデバイスにおいて、近隣報告情報を除いたビーコンを受信することとを備える方法。
【請求項１１】
記憶される近傍報告情報の記憶時間を決定することと、
前記記憶時間がタイムアウト期間内でないとき、近隣報告情報を要求するように前記プローブ要求を生成することと、
前記記憶時間がタイムアウト期間内であるとき、近隣報告情報を要求しないように前記プローブ要求を生成することとをさらに備える、請求項１０に記載の方法。
【請求項１２】
前記プローブ要求に近隣報告情報要求情報要素を含めることによって、近隣報告情報を要求するように前記プローブ要求を生成することをさらに備える、請求項１０に記載の方法。
【請求項１３】
前記プローブ要求中の近隣報告情報要求情報要素を除くことによって、近隣報告情報を要求しないように前記プローブ要求を生成することをさらに備える、請求項１０に記載の方法。
【請求項１４】
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、プローブ応答のサイズを削減するためのワイヤレスデバイスであって、
近傍報告情報が記憶されるかどうか決定するように構成されたプロセッサと、
近隣報告情報についての要求を条件付きで含むプローブ要求を、前記ワイヤレスデバイスに関する状態情報をさらに含む前記プローブ要求を前記決定することに基づいて、送信するように構成された送信機と、
プローブ応答を受信するように構成された受信機と、ここにおいて、前記プロセッサは、近隣報告情報が前記プローブ応答中に含まれるかどうか決定するために、前記プローブ応答を復号するように、および前記情報が前記プローブ応答中に含まれるという決定に応答して、前記近隣報告情報を記憶するようにさらに構成され、ここにおいて、前記受信機は、近隣報告情報を除いたビーコンを受信するように、および前記状態情報が記憶される時間期間を決定するために前記プローブ応答を復号するように構成され、ここにおいて、前記送信機は、前記決定された時間期間に応答して、前記状態情報を除いた関連付け要求を送信するようにさらに構成される、
を備えるワイヤレスデバイス。
【請求項１５】
前記プロセッサは、
記憶される近傍報告情報の記憶時間を決定し、
前記記憶時間がタイムアウト期間内でないとき、近隣報告情報を要求するように前記プローブ要求を生成し、
前記記憶時間がタイムアウト期間内であるとき、近隣報告情報を要求しないように前記プローブ要求を生成するようにさらに構成される、請求項１４に記載の装置。
【請求項１６】
前記プロセッサは、前記プローブ要求に近隣報告情報要求情報要素を含めることによって、近隣報告情報を要求するように前記プローブ要求を生成するようにさらに構成される、請求項１４に記載の装置。
【請求項１７】
前記プロセッサは、前記プローブ要求に近隣報告情報要求情報要素を含めないことによって、近隣報告情報を要求しないように前記プローブ要求を生成するようにさらに構成される、請求項１４に記載の装置。
【手続補正２】
【補正対象書類名】明細書
【補正対象項目名】０２２６
【補正方法】変更
【補正の内容】
【０２２６】
[00243]  上記は、本開示の態様を対象とするが、本開示の基本的な範囲を逸脱することなく、本開示の他の態様およびさらなる態様が考案され得るし、本開示の範囲は以下の特許請求の範囲によって決定される。
以下に本願の出願当初の特許請求の範囲に記載された発明を付記する。
［Ｃ１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、ワイヤレス通信におけるプローブ応答のサイズを削減するための方法であって、
アクセスポイントにおいて、プローブ要求を受信することと、
前記プローブ要求に基づいて、条件付きで近隣報告情報を含むようにプローブ応答を生成することと、
前記プローブ応答をワイヤレスデバイスに送信することとを備える方法。
［Ｃ２］
近隣報告情報を除いたビーコンを送信することをさらに備える、Ｃ１に記載の方法。
［Ｃ３］
近隣報告情報が要求されるかどうか決定するために、前記プローブ要求を復号し、前記決定に基づいて前記プローブ応答を生成することをさらに備える、Ｃ１に記載の方法。
［Ｃ４］
近隣報告情報要求情報要素が前記プローブ要求中に含まれるかどうか識別するために、前記プローブ要求を復号し、前記近隣報告情報要求情報要素が前記プローブ要求中に含まれる場合、前記近隣報告情報を含むように前記プローブ応答を生成することをさらに備える、Ｃ３に記載の方法。
［Ｃ５］
近隣報告情報要求情報要素が前記プローブ要求中に含まれるかどうか識別するために、前記プローブ要求を復号し、前記近隣報告情報要求情報要素が前記プローブ要求中に含まれない場合、前記近隣報告情報を含まないように前記プローブ応答を生成することをさらに備える、Ｃ３に記載の方法。
［Ｃ６］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、削減されたサイズのプローブ応答のための装置であって、
プローブ要求を受信するように構成された受信機と、
前記プローブ要求に基づいて、条件付きで近隣報告情報を含むようにプローブ応答を生成するように構成されたプロセッサと、
前記プローブ応答をワイヤレスデバイスに送信するように構成された送信機とを備える装置。
［Ｃ７］
前記送信機は、近隣報告情報を除いたビーコンを送信するようにさらに構成される、Ｃ６に記載の装置。
［Ｃ８］
前記プロセッサは、近隣報告情報が要求されるかどうか決定するために前記プローブ要求を復号し、前記決定に基づいて、前記プローブ応答を生成するようにさらに構成される、Ｃ６に記載の装置。
［Ｃ９］
前記プロセッサは、近隣報告情報要求情報要素が前記プローブ要求中に含まれるかどうか識別するために、前記プローブ要求を復号し、前記近隣報告情報要求情報要素が前記プローブ要求中に含まれる場合、前記近隣報告情報を含むように前記プローブ応答を生成するようにさらに構成される、Ｃ８に記載の装置。
［Ｃ１０］
前記プロセッサは、近隣報告情報要求情報要素が前記プローブ要求中に含まれるかどうか識別するために、前記プローブ要求を復号し、前記近隣報告情報要求情報要素が前記プローブ要求から除かれる場合、前記近隣報告情報を含まないように前記プローブ応答を生成するようにさらに構成される、Ｃ８に記載の装置。
［Ｃ１１］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、プローブ応答のサイズを削減するための方法であって、
ワイヤレスデバイスにおいて、近傍報告情報が記憶されるかどうか決定することと、
前記決定することに基づいて、近隣報告情報についての要求を条件付きで含むプローブ要求を送信することと、
プローブ応答を受信することと、
近隣報告情報が前記プローブ応答中に含まれるかどうか決定するために、前記プローブ応答を復号することと、
前記情報が前記プローブ応答中に含まれるという決定に応答して、前記近隣報告情報を記憶することとを備える方法。
［Ｃ１２］
近隣報告情報を除いたビーコンを受信することをさらに備える、Ｃ１１に記載の方法。
［Ｃ１３］
記憶される近傍報告情報の記憶時間を決定することと、
前記記憶時間がタイムアウト期間内でないとき、近隣報告情報を要求するように前記プローブ要求を生成することと、
前記記憶時間がタイムアウト期間内であるとき、近隣報告情報を要求しないように前記プローブ要求を生成することとをさらに備える、Ｃ１１に記載の方法。
［Ｃ１４］
前記プローブ要求に近隣報告情報要求情報要素を含めることによって、近隣報告情報を要求するように前記プローブ要求を生成することをさらに備える、Ｃ１１に記載の方法。
［Ｃ１５］
前記プローブ要求中の近隣報告情報要求情報要素を除くことによって、近隣報告情報を要求しないように前記プローブ要求を生成することをさらに備える、Ｃ１１に記載の方法。
［Ｃ１６］
少なくとも１つのアクセスポイントと、前記アクセスポイントが、複数のワイヤレスデバイスの各々と前記アクセスポイントとの間のワイヤレス通信リンクを開始し、維持するための範囲内にあるかどうか決定するために、前記アクセスポイントにそれぞれのプローブ要求を送信する前記複数のワイヤレスデバイスとを含む通信システムであって、前記アクセスポイントは、通信パラメータを含むプローブ応答フレームを送信する、通信システムにおける、プローブ応答のサイズを削減するための装置であって、
近傍報告情報が記憶されるかどうか決定するように構成されたプロセッサと、
前記決定に基づいて、近隣報告情報についての要求を条件付きで含むプローブ要求を送信するように構成された送信機と、
プローブ応答を受信するように構成された受信機と、ここにおいて、前記プロセッサは、近隣報告情報が前記プローブ応答中に含まれるかどうか決定するために、前記プローブ応答を復号するように、および前記情報が前記プローブ応答中に含まれるという決定に応答して、前記近隣報告情報を記憶するようにさらに構成される、
を備える装置。
［Ｃ１７］
前記受信機は、近隣報告情報を除いたビーコンを受信するようにさらに構成される、Ｃ１６に記載の装置。
［Ｃ１８］
前記プロセッサは、
記憶される近傍報告情報の記憶時間を決定し、
前記記憶時間がタイムアウト期間内でないとき、近隣報告情報を要求するように前記プローブ要求を生成し、
前記記憶時間がタイムアウト期間内であるとき、近隣報告情報を要求しないように前記プローブ要求を生成するようにさらに構成される、Ｃ１６に記載の装置。
［Ｃ１９］
前記プロセッサは、前記プローブ要求に近隣報告情報要求情報要素を含めることによって、近隣報告情報を要求するように前記プローブ要求を生成するようにさらに構成される、Ｃ１６に記載の装置。
［Ｃ２０］
前記プロセッサは、前記プローブ要求に近隣報告情報要求情報要素を含めないことによって、近隣報告情報を要求しないように前記プローブ要求を生成するようにさらに構成される、Ｃ１６に記載の装置。